(57)【要約】【課題】積層型熱交換器１において、フィン流路３１０ａ〜３１０ｈ、３２０ａ〜３２０ｈから端部隙間３０２へ冷媒が流れることを抑制する。【解決手段】積層型熱交換器１は、端部隙間３０２とフィン流路３１０ａ〜３１０ｈ、３２０ａ〜３２０ｈとの間を仕切ってフィン流路３１０ａ〜３１０ｈ、３２０ａ〜３２０ｈから端部隙間３０２に冷媒が流れることを抑制する仕切壁３４１と、端部隙間３０２を閉塞して端部隙間３０２に冷媒が流れることを抑制する閉塞部４０とを備える。したがって、端部隙間３０２における冷媒の流れを十分に遮断することが可能となる。【選択図】図１
2018074121.tif 000002
【特許請求の範囲】
【請求項１】
被熱交換対象（２）との間で熱交換する冷媒を流通させる冷媒流路（３０）を構成する複数の熱交換チューブ（３）を備え、前記熱交換チューブと前記被熱交換対象とが交互に積層方向に並ぶように前記複数の前記熱交換チューブと前記被熱交換対象とが積層されている積層型熱交換器であって、
前記複数の熱交換チューブのそれぞれに収納されているインナーフィン（３４）を備え、
前記インナーフィンは、
幅方向に並べられて、かつ前記冷媒流路内に前記冷媒を流通させる上流側フィン流路（３１０ａ〜３１０ｈ）をそれぞれ構成する複数の上流側フィン部（３１ａ〜３１ｈ）と、
前記複数の上流側フィン部に対して冷媒流れ方向下流側にて幅方向に並べられて、かつ前記複数の上流側フィン部のうち対応する上流側フィン部に対して幅方向にオフセットして設けられて、さらに前記冷媒流路内に前記冷媒を流通させる下流側フィン流路（３２０ａ〜３２０ｈ）をそれぞれ構成する複数の下流側フィン部（３２ａ〜３２ｈ）と、を備えるオフセットフィンであり、
当該積層型熱交換器は、
前記熱交換チューブのうち前記それぞれの上流側フィン流路と前記それぞれの下流側フィン流路とに対して幅方向一方側に配置されて、前記熱交換チューブのうち前記冷媒流路を構成する内壁（３１２、３２２）との間に第１端部隙間（３０２）を形成する第１仕切壁（３４１）と、
前記第1端部隙間を閉塞して前記第1端部隙間に冷媒が流れることを抑制する第１閉塞部（４０）と、を備える積層型熱交換器。
【請求項２】
前記熱交換チューブのうち前記それぞれの上流側フィン流路と前記それぞれの下流側フィン流路とに対して幅方向他方側に配置されて、前記熱交換チューブを構成する前記冷媒流路を構成する内壁（３１２、３２２）との間に第２端部隙間（３０３）を形成する第２仕切壁（３４２）と、
前記第２端部隙間を閉塞して前記第２端部隙間に冷媒が流れることを抑制する第２閉塞部（４２）を備える請求項１に記載の積層型熱交換器。
【請求項３】
前記複数の上流側フィン部と前記複数の下流側フィン部とは、前記冷媒を前記幅方向に蛇行させる波状に流通させるように形成されている請求項１または２に記載の積層型熱交換器。
【請求項４】
前記複数の上流側フィン部は、それぞれ前記冷媒流れ方向の上流側から下流側に進むほど前記フィン流路が幅方向一方側から幅方向他方側に向かうように形成されており、
前記複数の下流側フィン部は、それぞれ、前記冷媒流れ方向の上流側から下流側に進むほど前記フィン流路が幅方向他方側から幅方向一方側に向かうように形成されており、
前記複数の上流側フィン部と前記複数の下流側フィン部とが前記冷媒流れ方向に１つずつ交互に並べられることにより、前記冷媒を前記幅方向に蛇行させる波状に流通させる請求項３に記載の積層型熱交換器。
【請求項５】
被熱交換対象（２）との間で熱交換する冷媒を流通させる冷媒流路（３０）を構成する複数の熱交換チューブ（３）を備え、前記熱交換チューブと前記被熱交換対象とが交互に積層方向に並ぶように前記複数の前記熱交換チューブと前記被熱交換対象とが積層されている積層型熱交換器であって、
前記複数の熱交換チューブのそれぞれに収納されているインナーフィン（３４）を備え、
前記インナーフィンは、
幅方向に並べられて、かつ前記冷媒流路内に前記冷媒を流通させる上流側フィン流路（３１０ａ〜３１０ｈ）をそれぞれ構成する複数の上流側フィン部（３１ａ〜３１ｈ）と、
前記複数の上流側フィン部に対して冷媒流れ方向下流側にて幅方向に並べられて、かつ前記複数の上流側フィン部のうち対応する上流側フィン部に対して幅方向にオフセットして設けられて、さらに前記冷媒流路内に前記冷媒を流通させる下流側フィン流路（３２０ａ〜３２０ｈ）をそれぞれ構成する複数の下流側フィン部（３２ａ〜３２ｈ）とを備え、前記複数の上流側フィン部と前記複数の下流側フィン部とが前記冷媒流れ方向に１つずつ交互に並べられることにより、前記冷媒を前記幅方向に蛇行させる波状に流通させるオフセットフィンであり、
前記複数の上流側フィン部のうち幅方向一方側に配置されている前記上流側フィン部（３１ａ）は、前記熱交換チューブのうち前記冷媒流路を構成する内壁（３１２、３２２）と前記上流側フィン流路との間を仕切る第１上流側壁（３１１ａ）を備え、
前記複数の下流側フィン部のうち幅方向一方側に配置されている前記下流側フィン部（３２ａ）は、前記熱交換チューブの内壁と前記下流側フィン流路との間を仕切る第１下流側壁（３２１ａ）を備え、
前記第１下流側壁のうち冷媒流れ方向上流側端部（４００）は、前記第１上流側フィン部のうち冷媒流れ方向下流側端部（４０１）に対して幅方向一方側にオフセットするように配置されており、
前記第１下流側壁のうち冷媒流れ方向下流流側端部（４０３）は、前記第１上流側フィン部のうち冷媒流れ方向上流側端部（４０２）に接続されており、
当該積層型熱交換器は、
前記第１上流側壁および前記第１下流側壁と前記熱交換チューブのうち前記冷媒流路を構成する内壁（３１２、３２２）との間に形成される第１端部隙間（３０２）を閉塞して前記第1端部隙間に冷媒が流れることを抑制する第１閉塞部（４０）を備える積層型熱交換器。
【請求項６】
前記複数の上流側フィン部のうち幅方向他方側に配置されている前記上流側フィン部（３１ｈ）は、前記熱交換チューブの前記内壁と前記上流側フィン流路との間を仕切る第２上流側壁（３１１ｈ）を備え、
前記複数の下流側フィン部のうち幅方向他方側に配置されている前記下流側フィン部（３２ｈ）は、前記熱交換チューブの内壁と前記下流側フィン流路との間を仕切る第２下流側壁（３２１ｈ）を備え、
前記第２下流側壁のうち冷媒流れ方向上流側端部（４２０）は、前記第２上流側フィン部のうち冷媒流れ方向下流側端部（４２１）に対して幅方向一方側にオフセットするように配置されており、
前記第２下流側壁のうち冷媒流れ方向下流流側端部（４２２）は、前記第２上流側フィン部のうち冷媒流れ方向上流側端部（４２３）に接続されており、
当該積層型熱交換器は、
前記第２上流側壁および前記第２下流側壁と前記熱交換チューブを構成する前記冷媒流路を構成する内壁（３１２、３２２）との間に形成される第２端部隙間（３０３）を閉塞して前記第２端部隙間に冷媒が流れることを抑制する第２閉塞部（４２）を備える請求項５に記載の積層型熱交換器。
【発明の詳細な説明】
【技術分野】
【０００１】
本発明は、積層型熱交換器に関するものである。
【背景技術】
【０００２】
従来、半導体素子を内蔵した半導体モジュール等の発熱体の放熱を行うために、発熱体を両面から挟持するように複数の熱交換チューブを配設して構成される積層型熱交換器が知られている（例えば、特許文献１参照）。
【０００３】
このような熱交換器では、発熱体と熱交換チューブとが交互に積層された構成となっており、積層された複数の熱交換チューブは、連通部材によって連通され、冷媒が各熱交換チューブに流通するよう構成されている。
【０００４】
この種の熱交換器において、熱交換性能を向上させるために、熱交換チューブ内の冷媒流路を仕切って幅方向に並ぶ複数のフィン流路に構成するインナーフィンを熱交換チューブ内に設置して放熱面積を拡大して熱伝達率を上昇させている。
【０００５】
なお、特許文献２には、インナーフィンとして適切なオフセットフィンが提案されている。
【先行技術文献】
【特許文献】
【０００６】
【特許文献１】特開２００６−５０１４号公報
【特許文献２】特開２０１３−２３４６２７号公報
【発明の概要】
【発明が解決しようとする課題】
【０００７】
上記特許文献１の積層型熱交換器では、熱交換チューブを構成する外殻プレートの内壁とインナーフィンのうち幅方向一方側との間には端部隙間流路が形成される。このため、フィン流路から端部隙間流路に冷媒が流れ込むと、本来の冷媒を流通すべきフィン流路へ流れる冷媒量が減少するため、期待する放熱性能が得られないという問題がある。
【０００８】
これに対して、端部隙間流路の入口を閉塞させることで端部隙間流路へ冷媒が流れることを抑制することが考えられる。しかし、オフセットタイプのインナーフィン（以下、オフセットフィンという）を用いた場合には、オフセットフィンにより構成される複数のフィン流路から、端部隙間流路へ冷媒が流れ出してしまう恐れがある。
【０００９】
本発明は上記点に鑑みて、オフセットフィンを熱交換チューブに収納する積層型熱交換器において、フィン流路から端部隙間へ冷媒が流れることを抑制することを目的とする。
【課題を解決するための手段】
【００１０】
上記目的を達成するため、請求項１に記載の発明では、被熱交換対象（２）との間で熱交換する冷媒を流通させる冷媒流路（３０）を構成する複数の熱交換チューブ（３）を備え、熱交換チューブと被熱交換対象とが交互に積層方向に並ぶように複数の熱交換チューブと被熱交換対象とが積層されている積層型熱交換器であって、
複数の熱交換チューブのそれぞれに収納されているインナーフィン（３４）を備え、
インナーフィンは、
幅方向に並べられて、かつ冷媒流路内に冷媒を流通させる上流側フィン流路（３１０ａ〜３１０ｈ）をそれぞれ構成する複数の上流側フィン部（３１ａ〜３１ｈ）と、
複数の上流側フィン部に対して冷媒流れ方向下流側にて幅方向に並べられて、かつ複数の上流側フィン部のうち対応する上流側フィン部に対して幅方向にオフセットして設けられて、さらに冷媒流路内に冷媒を流通させる下流側フィン流路（３２０ａ〜３２０ｈ）をそれぞれ構成する複数の下流側フィン部（３２ａ〜３２ｈ）と、を備えるオフセットフィンであり、
当該積層型熱交換器は、
熱交換チューブのうちそれぞれの上流側フィン流路とそれぞれの下流側フィン流路とに対して幅方向一方側に配置されて、熱交換チューブのうち冷媒流路を構成する内壁（３１２、３２２）との間に第１端部隙間（３０２）を形成する第１仕切壁（３４１）と、
第1端部隙間を閉塞して第1端部隙間に冷媒が流れることを抑制する第１閉塞部（４０）と、を備える。
【００１１】
以上により、請求項１に記載の発明によれば、フィン流路から第１端部隙間へ冷媒が流れることを抑制することができる。
【００１２】
請求項５に記載の発明では、被熱交換対象（２）との間で熱交換する冷媒を流通させる冷媒流路（３０）を構成する複数の熱交換チューブ（３）を備え、熱交換チューブと被熱交換対象とが交互に積層方向に並ぶように複数の熱交換チューブと被熱交換対象とが積層されている積層型熱交換器であって、
複数の熱交換チューブのそれぞれに収納されているインナーフィン（３４）を備え、
インナーフィンは、
幅方向に並べられて、かつ冷媒流路内に冷媒を流通させる上流側フィン流路（３１０ａ〜３１０ｈ）をそれぞれ構成する複数の上流側フィン部（３１ａ〜３１ｈ）と、
複数の上流側フィン部に対して冷媒流れ方向下流側にて幅方向に並べられて、かつ複数の上流側フィン部のうち対応する上流側フィン部に対して幅方向にオフセットして設けられて、さらに冷媒流路内に冷媒を流通させる下流側フィン流路（３２０ａ〜３２０ｈ）をそれぞれ構成する複数の下流側フィン部（３２ａ〜３２ｈ）とを備え、複数の上流側フィン部と複数の下流側フィン部とが冷媒流れ方向に１つずつ交互に並べられることにより、冷媒を幅方向に蛇行させる波状に流通させるオフセットフィンであり、
複数の上流側フィン部のうち幅方向一方側に配置されている上流側フィン部（３１ａ）は、熱交換チューブのうち冷媒流路を構成する内壁（３１２、３２２）と上流側フィン流路との間を仕切る第１上流側壁（３１１ａ）を備え、
複数の下流側フィン部のうち幅方向一方側に配置されている下流側フィン部（３２ａ）は、熱交換チューブの内壁と下流側フィン流路との間を仕切る第１下流側壁（３２１ａ）を備え、
第１下流側壁のうち冷媒流れ方向上流側端部（４００）は、第１上流側フィン部のうち冷媒流れ方向下流側端部（４０１）に対して幅方向一方側にオフセットするように配置されており、
第１下流側壁のうち冷媒流れ方向下流流側端部（４０３）は、第１上流側フィン部のうち冷媒流れ方向上流側端部（４０２）に接続されており、
当該積層型熱交換器は、
第１上流側壁および第１下流側壁と熱交換チューブのうち冷媒流路を構成する内壁（３１２、３２２）との間に形成される第１端部隙間（３０２）を閉塞して第1端部隙間に冷媒が流れることを抑制する第１閉塞部（４０）を備える。
【００１３】
以上により、請求項５に記載の発明によれば、フィン流路から第１端部隙間へ冷媒が流れることを抑制することができる。
【００１４】
なお、この欄および特許請求の範囲で記載した各手段の括弧内の符号は、後述する実施形態に記載の具体的手段との対応関係を示すものである。
【図面の簡単な説明】
【００１５】
【図１】本発明の第１実施形態における積層型熱交換器の正面図である。
【図２】図１中II−II断面図である。
【図３】図２中III−III断面図である。
【図４】図２中IV−IV断面図に相当する図である。
【図５】図２中のオフセットフィン単体を示す斜視図である。
【図６Ａ】図２中Ａ部分の拡大図である。
【図６Ｂ】対比例における熱交換チューブの部分拡大図であり、図６Ａに対応する図である。
【図７Ａ】本発明の第２実施形態における積層型熱交換器の熱交換チューブの部分拡大図であり、図６Ａに対応する図である。
【図７Ｂ】対比例における熱交換チューブの部分拡大図であり、図５Ａに対応する図である。
【図８Ａ】本発明の第３実施形態における積層型熱交換器の熱交換チューブの部分拡大図であり、図５Ａに対応する図である。
【図８Ｂ】第３実施形態における積層型熱交換器の熱交換チューブの部分拡大図である。
【発明を実施するための形態】
【００１６】
以下、本発明の実施形態について図に基づいて説明する。なお、以下の各実施形態相互において、互いに同一もしくは均等である部分には、説明の簡略化を図るべく、図中、同一符号を付してある。
【００１７】
（第１実施形態）
図１に示す積層型熱交換器１は、その積層型熱交換器１の内部を循環する冷媒と熱交換対象とを熱交換させることによりその熱交換対象を冷却する冷却器である。具体的には、その熱交換対象すなわち冷却対象物は、板状に形成された複数の電子部品２であり、積層型熱交換器１は、その電子部品２をその両面から冷却する。積層型熱交換器１の冷媒すなわち冷媒としては、例えばエチレングリコール系の不凍液が混入した水（すなわち冷却水）が用いられる。
【００１８】
なお、図１の矢印ＤＲｓｔは、熱交換チューブ３の積層方向ＤＲｓｔを示す。図１の矢印ＤＲｔｂは、熱交換チューブ３の長手方向ＤＲｔｂを示す。図２の矢印ＤＲｗは、熱交換チューブ３の幅方向ＤＲｗを示す。
【００１９】
本実施形態では、そのチューブ積層方向ＤＲｓｔ、チューブ長手方向ＤＲｔｂ、およびチューブ幅方向ＤＲｗは、互いに交差する方向、正確には互いに直交する方向である。また、図１では、見易い表示にするために、電子部品２に点ハッチングが付されている。
【００２０】
積層型熱交換器１は、図１および図３に示すように、扁平形状に形成された複数の熱交換チューブ３を、隣り合う熱交換チューブ３同士の間に形成される隙間に電子部品２を配設した状態で積層配置されて構成されている。すなわち、その熱交換チューブ３は、チューブ積層方向ＤＲｓｔへ電子部品２と交互に積層されている熱交換チューブである。そして、熱交換チューブ３の内部には、その電子部品２と熱交換する冷媒が流れる。
【００２１】
電子部品２は、その電子部品２に隣り合う熱交換チューブ３にチューブ積層方向ＤＲｓｔの両側から狭持されるように扁平な直方体形状に形成されている。本実施形態では、電子部品２として、車載走行用電動機用のインバータ回路で使用される半導体モジュールが採用されている。インバータ回路は、直流電力を三相交流電力に変換したり、或いは三相交流電力を直流電力に変換したりする電気回路である。半導体モジュールとは、例えばＩＧＢＴ等の半導体素子およびダイオードで構成される部品である。
【００２２】
熱交換チューブ３は、図３に示すように、チューブ幅方向ＤＲｗの一対の周縁部がチューブ長手方向ＤＲｔｂに沿って並行に延在する形状となっている。
【００２３】
本実施形態の熱交換チューブ３は、特許文献１の積層型冷却器に含まれる熱交換チューブと同様に、アルミニウムや銅等の高い熱伝導性を有する金属製のプレートを積層し、これらプレートを接合して構成されている。
【００２４】
具体的には、熱交換チューブ３は、図３に示すように、一対の外殻プレート３１、３２と、一対の外殻プレート３１、３２の間に配された中間プレート３３と、外殻プレート３１、３２および中間プレート３３の間に配された波形状のインナーフィン５０とを有している。
【００２５】
外殻プレート３１および中間プレート３３の間に、冷媒が流通する冷媒流路３０が形成されている。外殻プレート３２および中間プレート３３の間に、冷媒が流通する冷媒流路３０が形成されている。
【００２６】
本実施形態の熱交換チューブ３ではチューブ長手方向ＤＲｔｂに沿って冷媒を流すので、冷媒の流れ方向はチューブ長手方向ＤＲｔｂと平行となる。
【００２７】
一対の外殻プレート３１、３２は、熱交換チューブ３の外殻を構成する板部材である。一対の外殻プレート３１、３２、中間プレート３３、およびインナーフィン５０は互いにろう付けによって接合されている。
【００２８】
ここで、外殻プレート３１のうちチューブ積層方向ＤＲｓｔの一方側（図１中上側）には、電子部品２と接触する接触面３１１が形成されている。外殻プレート３２のうちチューブ積層方向ＤＲｓｔの他方側には、（図１中上側）には、電子部品２と接触する接触面３２１が形成されている。接触面３１１、３２１同士は、互いに反対側に向くように形成されている。
【００２９】
ここで、接触面３１１、３２１は熱交換チューブ３の扁平面のうちの大部分を占めている。接触面３１１、３２１は、チューブ積層方向ＤＲｓｔから視ればインナーフィン５０と重なっている。
【００３０】
中間プレート３３は、チューブ積層方向ＤＲｓｔから見た外形が外殻プレート３１、３２と略同じような形状とされた平板状の板部材である。中間プレート３３は、その周縁部分で外殻プレート３１、３２の間に挟まれて外殻プレート３１、３２と接合されている。      
【００３１】
それと共に、中間プレート３３は、インナーフィン５０を介しても一対の外殻プレート３１、３２にそれぞれ接合されている。中間プレート３３には、後述する突出管部３５の開口部に対応して円形の開口孔３３ａ、３３ｂが形成されている。
【００３２】
開口孔３３ａは、中間プレート３３のうち長手方向ＤＲｔｂ一方側に配置されて、冷媒導入管４から供給ヘッダ部１１を通して流入される冷媒を冷媒流路３０に流す冷媒導入口である。開口孔３３ｂは、中間プレート３３のうち長手方向ＤＲｔｂ他方側に配置されて、冷媒流路３０からの冷媒を排出ヘッダ部１２に流出させる冷媒流出口である。
【００３３】
この中間プレート３３が設けられているので、熱交換チューブ３内では、チューブ積層方向ＤＲｓｔに中間プレート３３を挟んで２段の冷媒流路３０が形成されている。すなわち、その２段の冷媒流路３０のうちの一方の冷媒流路３０は、一対の外殻プレート３１、３２のうちの一方の外殻プレート３１と中間プレート３３とによって形成されている。そして、他方の冷媒流路３０は、一対の外殻プレート３１、３２のうちの他方の外殻プレート３２と中間プレート３３とによって形成されている。
【００３４】
インナーフィン５０は、冷媒流路３０を流通する冷媒と電子部品２との間の熱交換を促進させる部材である。その熱交換の促進のために図３に示すように、インナーフィン５０は２つ設けられている。
【００３５】
そして、その２つのうちの一方のインナーフィン５０は上記一方の冷媒流路３０内に配置され、他方のインナーフィン５０は上記他方の冷媒流路３０内に配置されている。一方のインナーフィン５０および他方のインナーフィン５０は、互いに配置場所が異なるものの、互いに同じ構造を備えている。
【００３６】
具体的に、インナーフィン５０は、ストレート部３４、３８、およびオフセット部３９から構成されるオフセットフィンである。
【００３７】
ストレート部３４は、オフセット部３９に対して冷媒流れ方向ＤＲｆｗ上流側に配置されている。ストレート部３８は、オフセット部３９に対して冷媒流れ方向ＤＲｆｗ下流側に配置されている。
【００３８】
ストレート部３４は、フィン流路３４０ａ〜３４０ｈを構成する。フィン流路３４０ａ〜３４０ｈは、幅方向ＤＲｗ一方側（図２中上側）から幅方向ＤＲｗ他方側（図２中下側）に順次並べられている。
【００３９】
ストレート部３８は、フィン流路３５０ａ〜３５０ｈを構成する。フィン流路３５０ａ〜３５０ｈは、幅方向ＤＲｗ一方側（図２中上側）から幅方向ＤＲｗ他方側に順次並べられている。
【００４０】
オフセット部３９は、上流側フィン部３１ａ〜３１ｈと下流側フィン部３２ａ〜３２ｈとが冷媒流れ方向ＤＲｆｗに交互に並べられてオフセットフィンを構成されている
上流側フィン部３１ａ、３１ｂ、３１ｃ、３１ｄ、３１ｅ、３１ｇ、３１ｈは、チューブ幅方向ＤＲｗに並べられている。
【００４１】
上流側フィン部３１ａ、３１ｃ、３１ｅ、３１ｇは、それぞれ、チューブ積層方向ＤＲｓｔ一方側から他方側に凸となる凸部状に形成されている。上流側フィン部３１ａ、３１ｃ、３１ｅ、３１ｇは、それぞれフィン流路３１０ａ、３１０ｃ、３１０ｅ、３１０ｇを構成する。
【００４２】
上流側フィン部３１ｂ、３１ｄ、３１ｆ、３１ｈは、それぞれ、チューブ積層方向ＤＲｓｔ他方側から一方側に凸となる凸部状に形成されている。上流側フィン部３１ｂ、３１ｄ、３１ｆ、３１ｈは、それぞれ、フィン流路３１０ｂ、３１０ｄ、３１０ｆ、３１０ｈを構成する。
【００４３】
下流側フィン部３２ａ、３２ｂ、３２ｃ、３２ｄ、３２ｅ、３２ｇ、３２ｈは、それぞれ、チューブ幅方向ＤＲｗに並べられている。下流側フィン部３２ａ、３２ｃ、３２ｅ、３２ｇは、それぞれ、チューブ積層方向ＤＲｓｔ一方側から他方側に凸となる凸部状に形成されている。下流側フィン部３２ａ、３２ｃ、３２ｅ、３２ｇは、それぞれ、フィン流路３２０ａ、３２０ｃ、３２０ｅ、３２０ｇを構成する。
【００４４】
下流側フィン部３２ｂ、３２ｄ、３２ｆ、３２ｈは、それぞれ、チューブ積層方向ＤＲｓｔ他方側から一方側に凸となる凸部状に形成されている。下流側フィン部３２ｂ、３２ｄ、３２ｆ、３２ｈは、それぞれ、フィン流路３２０ｂ、３２０ｄ、３２０ｆ、３２０ｈを構成する。
【００４５】
このように構成される本実施形態の下流側フィン部３２ａ〜３２ｈは、それぞれ、上流側フィン部３１ａ〜３１ｈのうち対応する上流側フィン部に対してチューブ幅方向ＤＲｗ一方側にオフセットして配置されている。
【００４６】
このことにより、下流側フィン部３２ａ〜３２ｈは、それぞれ、上流側フィン部３１ａ〜３１ｈのうち対応する上流側フィン部（以下、対応上流側フィン部という）が構成するフィン流路と、対応上流側フィン部に隣接するフィン流路とに連通するフィン流路を構成する。
【００４７】
例えば、下流側フィン部３２ａは、上流側フィン部３１ａ〜３１ｈのうち対応する上流側フィン部３１ａにチューブ幅方向ＤＲｗ一方側にオフセットして配置されている。このため、下流側フィン部３２ａは、前記対応する上流側フィン部３１ａが構成するフィン流路３１０ａと、この上流側フィン部３１ａに隣接するフィン流路３１０ｂとに連通するフィン流路３２０ａを構成することになる。
【００４８】
ここで、フィン流路３４０ａ〜３４０ｈ、３５０ａ〜３５０ｈが並ぶ方向は、チューブ幅方向ＤＲｗに一致する。フィン流路３１０ａ〜３１０ｈ、３２０ａ〜３２０ｈが並ぶ方向は、チューブ幅方向ＤＲｗに一致する。フィン流路３１０ａ〜３１０ｈ、３２０ａ〜３２０ｈ、３４０ａ〜３４０ｈ、３５０ａ〜３５０ｈが並ぶ方向は、冷媒流れ方向ＤＲｆｗに交差し、かつ外殻プレート３１、３２の接触面３１１、３２１に沿った方向である。
【００４９】
チューブ積層方向ＤＲｓｔから視たインナーフィン５０は、図２に示すように矩形形状を成している。
【００５０】
インナーフィン５０のうちフィン流路３１０ａ〜３１０ｈ、３２０ａ〜３２０ｈ、３４０ａ〜３４０ｈ、３５０ａ〜３５０ｈに対してチューブ幅方向ＤＲｗ一方側には、仕切壁３４１が設けられている。
【００５１】
それと共に、インナーフィン５０のうちフィン流路３１０ａ〜３１０ｈ、３２０ａ〜３２０ｈ、３４０ａ〜３４０ｈ、３５０ａ〜３５０ｈに対してチューブ幅方向ＤＲｗ他方側には、仕切壁３４２が設けられている。
【００５２】
インナーフィン５０の仕切壁３４１は、図２および図３に示すように、第１端部隙間としての端部隙間３０２を、外殻プレート３１、３２の内壁面３１２、３２２との間に形成している。
【００５３】
これと同様に、仕切壁３４２は、第２端部隙間としての端部隙間３０３を、外殻プレート３１、３２の内壁面３１２、３２２との間に形成している。その仕切壁３４１および仕切壁３４２は、フィン流路３１０ａ〜３１０ｈ、３２０ａ〜３２０ｈ、３４０ａ〜３４０ｈ、３５０ａ〜３５０ｈと同様に、冷媒流れ方向ＤＲｆｗへ延びるように形成されている。
【００５４】
熱交換チューブ３は、図２に示すように、外殻プレート３１、３２と一体に構成された閉塞部４０および閉塞部４２を備えている。外殻プレート３１、３２は互いに同様の構造になっているので、詳しく言えば、一方の外殻プレート３１は、閉塞部４０および閉塞部４２を備え、他方の外殻プレート３２も閉塞部４０および閉塞部４２を備えている。例えば閉塞部４０が、図２のVIA部詳細図である図６Ａに拡大して図示されている。
【００５５】
図２および図３に示すように、閉塞部４０および閉塞部４２はそれぞれ、外殻プレート３１、３２の内壁面３１２、３２２から突き出るように形成されている。例えば、閉塞部４０および閉塞部４２はそれぞれ、その内壁面３１２、３２２から突き出たリブ形状を成している。
【００５６】
閉塞部４０は、端部隙間３０２を塞いでいる。これにより、閉塞部４０は、端部隙間３０２に冷媒が流れることを抑制する。この端部隙間３０２と同様に、閉塞部４２は、端部隙間３０３を塞いでいる。これにより、閉塞部４２は、端部隙間３０３に冷媒が流れることを抑制する。
【００５７】
また図２に示すように、閉塞部４０は、インナーフィン５０のストレート部３４、３８、オフセット部３９のうちストレート部３４が占める範囲内に入るように配置されている。閉塞部４２は、インナーフィン５０のストレート部３４、３８、オフセット部３９のうちストレート部３８が占める範囲内に入るように配置されている。
【００５８】
更に、閉塞部４０および閉塞部４２は、外殻プレート３１、３２の接触面３１１、３２１が占める範囲から外れるように配置されている。
【００５９】
ストレート部３４は、フィン流路３４０ａ〜３４０ｈを仕切る複数の隔壁３４３（図２中７個の隔壁３４３）を構成している。複数の隔壁３４３のうち端部隙間３０２に最も近い隔壁３４３を隔壁３４３ａとする。
【００６０】
フィン流路３４０ａ、３４０ｂは、隔壁３４３ａを挟んで互いに隣接する。それと共に、フィン流路３４０ａは、仕切壁３４１を介して端部隙間３０２に隣接する。
【００６１】
フィン流路３４０ａは、フィン流路３４０ａ〜３４０ｈのうち端部隙間３０２に最も近いフィン流路である。フィン流路３４０ｂは、フィン流路３４０ａ〜３４０ｈのうち端部隙間３０２に２番目に近いフィン流路である。
【００６２】
本実施形態の複数の隔壁３４３ａ〜３４３ｈのうち一方側のフィン流路３４０ａ、３４０ｂとを幅方向ＤＲｗに隔てる隔壁３４３ａに対して、その幅方向ＤＲｗの間隔ＣＲ１を空けるように構成されている。
【００６３】
このことにより、閉塞部４０が一方側のフィン流路３０１ａ、３０１ｂとの間の隔壁３４３ａにまで及んでいないということになる。従って、一方側のフィン流路３０１ａは閉塞部４０によって流路断面積が狭められる側へ部分的に変形させられているものの、一方側のフィン流路３０１ｂは、流路断面積が狭められる側へ変形させられてはいない。
【００６４】
一方、ストレート部３８は、フィン流路３５０ａ〜３５０ｈを仕切る複数の隔壁３５３（図２中７個の隔壁）を構成している。フィン流路３５０ｈ、３５０ｇは、隔壁３５３ｇを挟んで互いに隣接する。それと共に、フィン流路３５０ｈは、仕切壁３４２を介して端部隙間３０３に隣接する。
【００６５】
フィン流路３４０ｈは、ストレート部３８の複数のフィン流路３５０ａ〜３５０ｈのうち端部隙間３０３に最も近いフィン流路である。フィン流路３５０ｇは、ストレート部３８の複数のフィン流路３５０ａ〜３５０ｈのうち端部隙間３０３に２番目に近いフィン流路である。
【００６６】
本実施形態の複数の隔壁３５３のうちフィン流路３５０ｈ、３５０ｇとを幅方向ＤＲｗに隔てる隔壁３５３ｈに対して、その幅方向ＤＲｗの間隔ＣＲ２を空けるように構成されている。
【００６７】
このことにより、閉塞部４２が一方側のフィン流路３５０ｈ、３５０ｇとの間の隔壁３５３ｇにまで及んでいないということになる。従って、他方側のフィン流路３５０ｈは閉塞部４２によって流路断面積が狭められる側へ部分的に変形させられているものの、他方側の第７フィン流路３５０ｇは、流路断面積が狭められる側へ変形させられてはいない。
【００６８】
図１に戻り、熱交換チューブ３は、チューブ積層方向ＤＲｓｔへ開口すると共にチューブ積層方向ＤＲｓｔへ突出した円筒状の突出管部３５を、チューブ長手方向ＤＲｔｂの両側に有している。隣り合う熱交換チューブ３は、突出管部３５同士を嵌合させると共にその突出管部３５の側壁同士を接合することによって互いに連結されている。
【００６９】
なお、複数の熱交換チューブ３のうち、チューブ積層方向ＤＲｓｔの最も外側に位置する一対の熱交換チューブ３以外の熱交換チューブ３には、隣り合う熱交換チューブ３に対向する対向面の両面に一対の突出管部３５が設けられている。一方、複数の熱交換チューブ３のうち、チューブ積層方向ＤＲｓｔの最も外側に位置する一対の熱交換チューブ３は、隣り合う熱交換チューブ３に対向する一面にだけ突出管部３５が設けられている。
【００７０】
隣り合う熱交換チューブ３の相互間では、互いの突出管部３５の接合により、互いの冷媒流路３０が連通している。一対の突出管部３５のうち、チューブ長手方向ＤＲｔｂにおける一方の突出管部３５は、チューブ積層方向ＤＲｓｔへ複数連結されることで、積層型熱交換器１での供給ヘッダ部１１として機能する。その供給ヘッダ部１１は、各熱交換チューブ３の冷媒流路３０へ冷媒を供給するための部位である。また、チューブ長手方向ＤＲｔｂにおける他方の突出管部３５は、チューブ積層方向ＤＲｓｔへ複数連結されることで、積層型熱交換器１での排出ヘッダ部１２として機能する。その排出ヘッダ部１２は、各熱交換チューブ３の冷媒流路３０から冷媒を排出させるための部位である。
【００７１】
また、突出管部３５の根元部３６は環状のダイヤフラムとして機能する。すなわち、その根元部３６は、熱交換チューブ３に対してチューブ積層方向ＤＲｓｔに圧縮荷重が作用した際に、突出管部３５を介してその圧縮荷重を受けて熱交換チューブ３の内側に向かって変形する変形部位である。
【００７２】
また、複数の熱交換チューブ３のうち、チューブ積層方向ＤＲｓｔの最も外側に配置される一対の熱交換チューブ３の一方には、冷媒導入管４と冷媒導出管５とが接続されている。その冷媒導入管４は、冷媒を積層型熱交換器１に導入するための冷媒導入部である。従って、冷媒導入管４は、上記一対の熱交換チューブ３の一方のうち供給ヘッダ部１１を構成する部位に接続されている。
【００７３】
その一方で、冷媒導出管５は、冷媒を積層型熱交換器１から導出するための冷媒導出部である。従って、冷媒導出管５は、上記一対の熱交換チューブ３の一方のうち排出ヘッダ部１２を構成する部位に接続されている。この冷媒導入管４および冷媒導出管５は、例えばろう付け等の接合技術により、チューブ積層方向ＤＲｓｔの最も外側に配置される一対の熱交換チューブ３の一方に接合されている。
【００７４】
ここで、積層型熱交換器１は、電子部品２と熱交換チューブ３との密着性を高めるために、熱交換チューブ３同士の間に形成される隙間に電子部品２を配置した状態で、不図示のプレス機にてチューブ積層方向ＤＲｓｔに圧縮して電子部品２を熱交換チューブ３の両面で挟み込む構造となっている。この際、熱交換チューブ３の突出管部３５の根元部３６が、圧縮荷重により熱交換チューブ３の内側に向かって変形する。この圧縮荷重がプレス機によって保持されることで、電子部品２と熱交換チューブ３との密着が維持される。
【００７５】
次に、積層型熱交換器１の製造工程について簡単に説明する。先ず、１本の熱交換チューブ３につき、一対の外殻プレート３１、３２と１枚の中間プレート３３と２枚のインナーフィン５０とが用意される。このとき、外殻プレート３１、３２に、閉塞部４０および閉塞部４２は未だ成形されていない。
【００７６】
続いて、外殻プレート３１、３２と中間プレート３３とインナーフィン５０から熱交換チューブ３が組み立てられ、例えばカシメ接合によって相互に接合される。これにより、積層型熱交換器１を構成する個々の熱交換チューブ３がそれぞれ組み立てられる。
【００７７】
上記カシメ接合が完了すると、複数の熱交換チューブ３のそれぞれにおいて、外殻プレート３１、３２に閉塞部４０および閉塞部４２がプレス加工によって成形される。このとき、そのプレス加工によって外殻プレート３１、３２と中間プレート３３とインナーフィン５０とが相互に位置ずれしないように上記カシメ接合によって固定されている。
【００７８】
詳細には、閉塞部４０および閉塞部４２は、外殻プレート３１、３２の内壁面３１２、３２２から突き出るようにプレス成形される。このプレス成形では、閉塞部４０の成形と同時に、インナーフィン５０の仕切壁３４１は、ストレート部３４ａに含まれる部位にて、閉塞部４０に沿って凹んだ形状を有するように成形される。そのため、その成形後には、仕切壁３４１は、その閉塞部４０に密着する密着面３４１ａを有する。
【００７９】
閉塞部４２の成形に関してもこれと同様である。すなわち、閉塞部４２の成形と同時に、インナーフィン５０の仕切壁３４２は、ストレート部３４ｃに含まれる部位にて、閉塞部４２に沿って凹んだ形状を有するように成形される。そのため、その成形後には、仕切壁３４２は、その閉塞部４２に密着する密着面を有する。
【００８０】
本実施形態では、閉塞部４０は仕切壁３４１に密着しているので、後述のろう付け接合後には、冷媒の流路としての端部隙間３０２は完全に閉塞される。これと同様に、そのろう付け接合後には、冷媒の流路としての端部隙間３０３は、閉塞部４２によって完全に閉塞される。
【００８１】
閉塞部４０および閉塞部４２の成形が完了すると、次に、図１に示すように、複数の熱交換チューブ３が、隣り合う熱交換チューブ３の突出管部３５同士を嵌合させつつ、チューブ積層方向ＤＲｓｔに積層される。そして、冷媒導入管４が供給ヘッダ部１１に接続されると共に、冷媒導出管５が排出ヘッダ部１２に接続される。次に、積層型熱交換器１が加熱され、各構成部品がろう付け接合される。
【００８２】
ろう付け接合によって完成した積層型熱交換器１には、上述したようにチューブ積層方向ＤＲｓｔの圧縮荷重が付与され、それと共に、積層型熱交換器１は、複数の熱交換チューブ３の相互間に電子部品２を挟み込む。
【００８３】
次に、積層型熱交換器１での冷媒の流れについて説明する。冷媒は、図１の矢印ＦＷｉｎのように、冷媒導入管４から供給ヘッダ部１１内へ流入する。供給ヘッダ部１１内へ流入した冷媒は、供給ヘッダ部１１から複数の熱交換チューブ３の開口孔３３ａを通して冷媒流路３０へ分配される。
【００８４】
ここで、冷媒流路３０は、上述の如く、フィン流路３４０ａ〜３４０ｈ、３１０ａ〜３１０ｈ、３２０ａ〜３２０ｈ、および３５０ａ〜３５０ｈを備える。
【００８５】
このため、冷媒は、複数のフィン流路３４０ａ〜３４０ｈを流通してから、フィン流路３１０ａ〜３１０ｈ、３２０ａ〜３２０ｈ→フィン流路３１０ａ〜３１０ｈ→フィン流路３２０ａ〜３２０ｈ→フィン流路３１０ａ〜３１０ｈ→フィン流路３２０ａ〜３２０ｈ→フィン流路３１０ａ〜３１０ｈ→フィン流路３２０ａ〜３２０ｈ→・・・→フィン流路３５０ａ〜３５０ｈの順に流れる。
【００８６】
この際に冷媒と電子部品２との間で熱交換が行われて、電子部品２が冷却される。このとき、閉塞部４０は端部隙間３０２への冷媒の流入を妨げると共に、閉塞部４２は端部隙間３０３への冷媒の流入を妨げる。例えば、図６Ａ中矢印ＦＬ１の如く、端部隙間３０２へ向かおうとする冷媒の流れは、閉塞部４０によって端部隙間３０２への流入を阻止され、フィン流路３０１ａ〜３０１ｉへと向かうことになる。
【００８７】
熱交換チューブ３の各々において複数のフィン流路３０１ａ〜３０１ｉを通過した冷媒は、図１の排出ヘッダ部１２内へ流入する。その排出ヘッダ部１２内へ流入した冷媒は、矢印ＦＷｏｕｔのように冷媒導出管５へ流出する。
【００８８】
以上説明した本実施形態によれば、積層型熱交換器１は、複数の熱交換チューブ３と電子部品２とが交互に積層方向ＤＲｓｔに並ぶように複数の熱交換チューブ３と電子部品２とが積層されている。
【００８９】
積層型熱交換器１は、電子部品２との間で熱交換する冷媒を流通させる冷媒流路３０を構成する複数の熱交換チューブ３と、複数の熱交換チューブ３のそれぞれに収納されて、それぞれの冷媒流路３０を仕切って幅方向に並ぶ複数のフィン流路３１０ａ〜３１０ｈ、３２０ａ〜３２０ｈを構成するインナーフィン５０を備える。
【００９０】
インナーフィン５０は、上流側フィン部３１ａ〜３１ｈと下流側フィン部３２ａ〜３２ｈとを備える。上流側フィン部３１ａ〜３１ｈは、幅方向ＤＲｗに並べられて、フィン流路３１０ａ〜３１０ｈを構成する。下流側フィン部３２ａ〜３２ｈは、上流側フィン部３１ａ〜３１ｈに対して冷媒流れ方向ＤＲｆｗの下流側にて幅方向ＤＲｗに並べられて、フィン流路３２０ａ〜３２０ｈを構成する。
【００９１】
下流側フィン部３２ａ〜３２ｈは、上流側フィン部３１ａ〜３１ｈのうち対応する上流側フィン部に対して幅方向ＤＲｗ一方側にオフセットして設けられている。
【００９２】
下流側フィン部３２ａ〜３２ｈは、上流側フィン部３１ａ〜３１ｈのうち対応する上流側フィン部に隣接するフィン流路と、前記対応する上流側フィン部が構成するフィン流路とに連通するフィン流路を構成する。
【００９３】
インナーフィン５０は、フィン流路３１０ａ〜３１０ｈ、３２０ａ〜３２０ｈに対してチューブ幅方向ＤＲｗ一方側に配置されて、かつ熱交換チューブ３のうち冷媒流路３０を構成する内壁３１２、３２２との間に端部隙間３０２を形成する仕切壁３４１を備える。
【００９４】
仕切壁３４１は、端部隙間３０２とフィン流路３１０ａ〜３１０ｈ、３２０ａ〜３２０ｈとの間を仕切る。積層型熱交換器１は、端部隙間３０２を閉塞して端部隙間３０２に冷媒が流れることを抑制する閉塞部４０を備える。
【００９５】
以上により、フィン流路３１０ａ〜３１０ｈ、３２０ａ〜３２０ｈから端部隙間３０２に冷媒が流れることを抑制することができる。
【００９６】
インナーフィン５０は、フィン流路３１０ａ〜３１０ｈ、３２０ａ〜３２０ｈに対してチューブ幅方向ＤＲｗ他方側に配置されて、かつ熱交換チューブ３のうち冷媒流路３０を構成する内壁３１２、３２２との間に端部隙間３０３を形成する仕切壁３４２を備える。
【００９７】
仕切壁３４２は、端部隙間３０３とフィン流路３１０ａ〜３１０ｈ、３２０ａ〜３２０ｈとの間を仕切る。積層型熱交換器１は、端部隙間３０３を閉塞して端部隙間３０３に冷媒が流れることを抑制する閉塞部４２を備える。
【００９８】
以上により、フィン流路３１０ａ〜３１０ｈ、３２０ａ〜３２０ｈから端部隙間３０３に冷媒が流れることを抑制することができる。
【００９９】
したがって、端部隙間３０２、３０３における冷媒の流れを十分に遮断することが可能となる。
【０１００】
このことを図６Ｂに示す対比例を用いて詳述する。その対比例の積層型熱交換器１では、図６Ｂに示すように、仕切壁３４１が設けられていない。この点を除いて、対比例の積層型熱交換器１は本実施形態の積層型熱交換器１と同じである。
【０１０１】
まず、仕切壁３４１が設けられていなければ、熱交換チューブ３では、フィン流路３４０ａ〜３４０ｈを通過した冷媒の大半は、フィン流路３２０ａ〜３２０ｈに流れる一方、フィン流路３４０ａ〜３４０ｈを通過した冷媒の一部は、矢印ＦＬ２の如く、端部隙間３０２に流れる。
【０１０２】
このため、対比例では、端部隙間３０２へ冷媒が流れる分だけ、フィン流路３２０ａ〜３２０ｈへ流れる冷媒の流量が減少することになる。そして、端部隙間３０２は熱交換チューブ３の中でチューブ幅方向ＤＲｗの端に位置しているので、端部隙間３０２内の冷媒は、フィン流路３２０ａ〜３２０ｈ内を流れる冷媒と比較しても、熱交換チューブ３に挟持された電子部品２と熱交換し難い。このことは、端部隙間３０３に関しても同様である。
【０１０３】
従って、本実施形態では、熱交換チューブ３に閉塞部４０、４２を設けられることで、端部隙間３０２および端部隙間３０３における冷媒の流通を阻止することができ、積層型熱交換器１の熱交換性能を向上させることが可能である。
【０１０４】
本実施形態では、インナーフィン５０は、仕切壁３４１、３４２を構成する。このため、仕切壁３４１、３４２をインナーフィン５０に対して独立して設ける場合に比べて部品点数を減らすことができる。
【０１０５】
本実施形態では、閉塞部４０、４２は、外殻プレート３１、３２を変形させることによって構成した。このため、閉塞部４０、４２を外殻プレート３１、３２に対して設ける場合に比べて部品点数を減らすことができる。
【０１０６】
以上により、仕切壁３４１、３４２、および閉塞部４０、４２を追加するに際して、部品点数の増加を抑制することができる。
【０１０７】
（第２実施形態）
本第２実施形態では、上記第１実施形態において、インナーフィン５０のオフセット部３９において、複数のフィン流路を幅方向に蛇行させる波状のオフセットフィンを構成した例について図７Ａを参照して説明する。
【０１０８】
本実施形態の積層型熱交換器１と上記第１実施形態の積層型熱交換器１とは、インナーフィン５０のオフセット部３９が相違するだけで、その他の構成は、同一である。このため、以下、本実施形態の積層型熱交換器１のインナーフィン５０のオフセット部３９について説明する。
【０１０９】
上流側フィン部３１ａ〜３１ｈは、それぞれ、冷媒流れ方向ＤＲｆｗ上流側から下流側に進むほどフィン流路３１０ａ〜３１０ｈが幅方向一方側から幅方向他方側に向かうように構成されている。
【０１１０】
下流側フィン部３２ａ〜３２ｈは、それぞれ、冷媒流れ方向ＤＲｆｗ上流側から下流側に進むほどフィン流路３２０ａ〜３２０ｈが幅方向他方側から幅方向一方側に向かうように構成されている。
【０１１１】
上流側フィン部３１ａは、フィン流路３１０ａ〜３１０ｈを仕切る上流側壁３１１ａ〜３１１ｈ（図７Ａ中３１１ａ〜３１１ｄのみを示す）を備える。下流側フィン部３２ａは、フィン流路３２０ａ〜３２０ｈを仕切る下流側壁３２１ａ〜３２１ｈ（図７Ａ中３２１ａ〜３２１ｄのみを示す）を備える。
【０１１２】
本実施形態では、インナーフィン５０は、上記第１実施形態と同様、仕切壁３４１、３４２を備える。
【０１１３】
仕切壁３４１は、複数の上流側壁３１１ａと複数の下流側壁３２１ａとから構成されている。上流側壁３１１ａは、上流側壁３１１ａ〜３１０ｈのうち最も幅方向ＤＲｗ一方側に位置する上流側壁である。下流側壁３２１ａは、下流側壁３２１ａ〜３２０ｈのうち最も幅方向ＤＲｗ一方側に位置する下流側壁である。
【０１１４】
上流側壁３１１ａのうち冷媒流れ方向ＤＲｆｗ下流側端部と下流側壁３２１ａのうち冷媒流れ方向ＤＲｆｗ上流側端部とが接続されている。上流側壁３１１ａのうち冷媒流れ方向ＤＲｆｗ上流側端部と下流側壁３２１ａのうち冷媒流れ方向ＤＲｆｗ下流側端部とが接続されている。
【０１１５】
仕切壁３４２は、複数の上流側壁３１１ｈと複数の下流側壁３２１ｈとから構成されている。上流側壁３１１ｈのうち冷媒流れ方向ＤＲｆｗ下流側端部と下流側壁３２１ｈのうち冷媒流れ方向ＤＲｆｗ上流側端部とは接続されている。上流側壁３１１ｈのうち冷媒流れ方向ＤＲｆｗ上流側端部と下流側壁３２１ｈのうち冷媒流れ方向ＤＲｆｗ下流側端部とは接続されている。
【０１１６】
このように構成される本実施形態では、上流側フィン部３１ａ〜３１ｈと下流側フィン部３２ａ〜３２ｈとが冷媒流れ方向ＤＲｆｗに１つずつ交互に並べられることにより、フィン流路３１０ａ〜３１０ｈ、３２０ａ〜３２０ｈを波状に構成する。
【０１１７】
下流側フィン部３２ａ〜３２ｈは、それぞれ、上流側フィン部３１ａ〜３１ｈのうち対応する上流側フィン部に対して幅方向ＤＲｗにオフセットして設けられている。下流側フィン部３２ａ〜３２ｈは、それぞれ、前記対応する上流側フィン部が構成するフィン流路と、前記対応する上流側フィン部に隣接するフィン流路とに連通する。
【０１１８】
一方、図７Ｂに示すように、仕切壁３４１が設けられていない対比例の積層型熱交換器１の熱交換チューブ３では、フィン流路３４０ａ〜３４０ｈを通過した冷媒の大半は、フィン流路３２０ａ〜３２０ｈに流れる。その一方、フィン流路３４０ａ〜３４０ｈを通過した冷媒の一部は、矢印ＦＬ３の如く、端部隙間３０２に流れる。このため、対比例では、端部隙間３０２へ冷媒が流れる分だけ、フィン流路３２０ａ〜３２０ｈへ流れる冷媒の流量が減少することになる。
【０１１９】
これに対して、本実施形態の積層型熱交換器１は、上記第１実施形態と実質的に同様、フィン流路３１０ａ〜３１０ｈ、３２０ａ〜３２０ｈから端部隙間３０２に冷媒が流れることを抑制する仕切壁３４１と、端部隙間３０２を閉塞して端部隙間３０２に冷媒が流れることを抑制する閉塞部４０とを備える。したがって、端部隙間３０２における冷媒の流れを十分に遮断することが可能となる。
【０１２０】
一方、積層型熱交換器１は、フィン流路３１０ａ〜３１０ｈ、３２０ａ〜３２０ｈから端部隙間３０３に冷媒が流れることを抑制する仕切壁３４２と、端部隙間３０３を閉塞して端部隙間３０３に冷媒が流れることを抑制する閉塞部４２とを備える。したがって、端部隙間３０３における冷媒の流れを十分に遮断することが可能となる。
【０１２１】
（第３実施形態）
上記第２実施形態では、上流側壁３１１ａと下流側壁３２１ａとを接続して仕切壁３４１を構成した例について説明したが、これに代えて、本第３実施形態では、次のように、複数の上流側壁３１１ａと複数の下流側壁３２１ａとから仕切壁３４１を構成する。
【０１２２】
本実施形態と上記第２実施形態とは、仕切壁３４１、３４２が互いに相違するだけで、その他の構成は、同様である。このため、以下、本実施形態の仕切壁３４１、３４２について説明して、その他の構成の説明を省略する。
【０１２３】
本実施形態の仕切壁３４１において、下流側壁３２１ａのうち冷媒流れ方向ＤＲｆｗ上流側端部４００は、上流側壁３１１ａのうち冷媒流れ方向ＤＲｆｗ下流側端部４０１に対して幅方向ＤＲｗ一方側にオフセットしている。このため、下流側壁３２１ａのうち冷媒流れ方向ＤＲｆｗ上流側端部４００と上流側壁３１１ａのうち冷媒流れ方向ＤＲｆｗ下流側端部４０１との間に隙間４１０が形成される。
【０１２４】
しかし、フィン流路３４０ａを通過した冷媒は、上流側壁３１１ａに沿って幅方向ＤＲｗ他方側に向けて流れる。このため、フィン流路３４０ａから冷媒が隙間４１０を通して端部隙間３０２に流れることはない。
【０１２５】
本実施形態の仕切壁３４１において、下流側壁３２１ａのうち冷媒流れ方向ＤＲｆｗ下流側端部４０２は、上流側壁３１１ａのうち冷媒流れ方向ＤＲｆｗ上流側端部４０３に接続されている。
【０１２６】
このため、下流側壁３２１ａに沿って流れる冷媒は、引き続き、上流側壁３１１ａに沿って流れる。このため、フィン流路３４０ａ内の冷媒は、下流側壁３２１ａと上流側壁３１１ａとの沿って流れる。このため、下流側壁３２１ａのうち冷媒流れ方向ＤＲｆｗ上流側端部４００と上流側壁３１１ａのうち冷媒流れ方向ＤＲｆｗ下流側端部４０１との間に隙間４１０が形成されていても、フィン流路３４０ａから冷媒が隙間４１０を通して端部隙間３０２に流れることはない。
【０１２７】
以上により、下流側壁３２１ａと上流側壁３１１ａとの間に隙間４１０が形成されていても、仕切壁３４１は、上記第１実施形態と同様に、フィン流路３１０ａ〜３１０ｈ、３２０ａ〜３２０ｈから端部隙間３０２に冷媒が流れることを抑制する役割を果たすことができる。
【０１２８】
一方、本実施形態の仕切壁３４２において、下流側壁３２１ｈのうち冷媒流れ方向ＤＲｆｗ上流側端部４２０は、上流側壁３１１ｈのうち冷媒流れ方向ＤＲｆｗ下流側端部４２１に対して幅方向ＤＲｗ一方側にオフセットしている。このため、下流側壁３２１ｈのうち冷媒流れ方向ＤＲｆｗ上流側端部４２０と上流側壁３１１ｈのうち冷媒流れ方向ＤＲｆｗ下流側端部４２１との間に隙間４３０が形成される。
【０１２９】
しかし、フィン流路３４０ｈを通過した冷媒は、上流側壁３１１ｈに沿って幅方向ＤＲｗ一方側に向けて流れる。このため、フィン流路３４０ｈから冷媒が隙間４３０を通して端部隙間３０３に流れることはない。
【０１３０】
本実施形態の仕切壁３４２において、下流側壁３２１ｈのうち冷媒流れ方向ＤＲｆｗ下流側端部４２２は、上流側壁３１１ｈのうち冷媒流れ方向ＤＲｆｗ上流側端部４２３に接続されている。
【０１３１】
このため、下流側壁３２１ｈに沿って流れる冷媒は、引き続き、上流側壁３１１ｈに沿って流れる。このため、フィン流路３４０ｈ内の冷媒は、下流側壁３２１ｈと上流側壁３１１ｈとに沿って流れる。このため、下流側壁３２１ｈのうち冷媒流れ方向ＤＲｆｗ上流側端部４２２と上流側壁３１１ｈのうち冷媒流れ方向ＤＲｆｗ下流側端部４２３との間に隙間４３０が形成されていても、フィン流路３４０ｈから冷媒が隙間４３０を通して端部隙間３０３に流れることはない。
【０１３２】
以上により、下流側壁３２１ｈと上流側壁３１１ｈとの間に隙間４３０が形成されていても、仕切壁３４２は、上記第１実施形態と同様に、フィン流路３１０ａ〜３１０ｈ、３２０ａ〜３２０ｈから端部隙間３０３に冷媒が流れることを抑制する役割を果たすことができる。
【０１３３】
（他の実施形態）
（１）上記第１〜第３実施形態では、冷媒と被熱交換対象との間の熱交換により被熱交換対象を冷却する例について説明したが、これに代えて、冷媒と被熱交換対象との間の熱交換により被熱交換対象を加熱してもよい。
【０１３４】
（２）上記第１〜第３実施形態では、被熱交換対象として電子部品２を用いた例について説明したが、これに代えて、電子部品２以外の装置、流体（液体、気体）を被熱交換対象として用いてもよい。
【０１３５】
（３）上記第１〜第３実施形態では、外殻プレート３１、３２によって閉塞部４０、４２を構成した例について説明したが、これに限らず、外殻プレート３１、３２に対して独立して閉塞部４０、４２を構成してもよい。
【０１３６】
（４）上記第１〜第３実施形態では、インナーフィンによって仕切壁３４１、３４２を構成した例について説明したが、これに代えて、インナーフィンに対して独立して仕切壁３４１、３４２を構成してもよい。
【０１３７】
（５）なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【０１３８】
（まとめ）
上記第１〜第３実施形態、および他の実施形態の一部または全部に記載された第１の観点によれば、被熱交換対象との間で熱交換する冷媒を流通させる冷媒流路を構成する複数の熱交換チューブ（３）を備え、熱交換チューブと被熱交換対象とが交互に積層方向に並ぶように複数の熱交換チューブと被熱交換対象とが積層されている積層型熱交換器であって、複数の熱交換チューブのそれぞれに収納されているインナーフィンを備え、インナーフィンは、幅方向に並べられて、かつ冷媒流路内に冷媒を流通させる上流側フィン流路をそれぞれ構成する複数の上流側フィン部と、複数の上流側フィン部に対して冷媒流れ方向下流側にて幅方向に並べられて、かつ複数の上流側フィン部のうち対応する上流側フィン部に対して幅方向にオフセットして設けられて、さらに冷媒流路内に冷媒を流通させる下流側フィン流路をそれぞれ構成する複数の下流側フィン部とを備えるオフセットフィンであり、当該積層型熱交換器は、熱交換チューブのうちそれぞれの上流側フィン流路とそれぞれの下流側フィン流路とに対して幅方向一方側に配置されて、熱交換チューブのうち冷媒流路を構成する内壁との間に第１端部隙間を形成する第１仕切壁と、第1端部隙間を閉塞して第1端部隙間に冷媒が流れることを抑制する第１閉塞部とを備える。
【０１３９】
したがって、フィン流路から第１端部隙間へ冷媒が流れることを抑制することができる。
【０１４０】
第２の観点によれば、熱交換チューブのうちそれぞれの上流側フィン流路とそれぞれの下流側フィン流路とに対して幅方向他方側に配置されて、熱交換チューブを構成する冷媒流路を構成する内壁との間に第２端部隙間を形成する第２仕切壁と、第２端部隙間を閉塞して第２端部隙間に冷媒が流れることを抑制する第２閉塞部を備える。
【０１４１】
したがって、フィン流路から第２端部隙間へ冷媒が流れることを抑制することができる。
【０１４２】
第３の観点によれば、複数の上流側フィン部と複数の下流側フィン部とは、冷媒を幅方向に蛇行させる波状に流通させるように形成されている。
【０１４３】
第４の観点によれば、複数の上流側フィン部は、それぞれ冷媒流れ方向の上流側から下流側に進むほどフィン流路が幅方向一方側から幅方向他方側に向かうように形成されており、複数の下流側フィン部は、それぞれ、冷媒流れ方向の上流側から下流側に進むほどフィン流路が幅方向他方側から幅方向一方側に向かうように形成されており、複数の上流側フィン部と複数の下流側フィン部とが冷媒流れ方向に１つずつ交互に並べられることにより、冷媒を幅方向に蛇行させる波状に流通させる。
【０１４４】
第５の観点によれば、被熱交換対象との間で熱交換する冷媒を流通させる冷媒流路を構成する複数の熱交換チューブを備え、熱交換チューブと被熱交換対象とが交互に積層方向に並ぶように複数の熱交換チューブと被熱交換対象とが積層されている積層型熱交換器であって、複数の熱交換チューブのそれぞれに収納されているインナーフィンを備え、インナーフィンは、幅方向に並べられて、かつ冷媒流路内に冷媒を流通させる上流側フィン流路をそれぞれ構成する複数の上流側フィン部と、複数の上流側フィン部に対して冷媒流れ方向下流側にて幅方向に並べられて、かつ複数の上流側フィン部のうち対応する上流側フィン部に対して幅方向にオフセットして設けられて、さらに冷媒流路内に冷媒を流通させる下流側フィン流路をそれぞれ構成する複数の下流側フィン部とを備え、複数の上流側フィン部と複数の下流側フィン部とが冷媒流れ方向に１つずつ交互に並べられることにより、冷媒を幅方向に蛇行させる波状に流通させるオフセットフィンであり、複数の上流側フィン部のうち幅方向一方側に配置されている上流側フィン部は、熱交換チューブのうち冷媒流路を構成する内壁と上流側フィン流路との間を仕切る第１上流側壁を備え、複数の下流側フィン部のうち幅方向一方側に配置されている下流側フィン部は、熱交換チューブの内壁と下流側フィン流路との間を仕切る第１下流側壁を備え、第１下流側壁のうち冷媒流れ方向上流側端部は、第１上流側フィン部のうち冷媒流れ方向下流側端部に対して幅方向一方側にオフセットするように配置されており、第１下流側壁のうち冷媒流れ方向下流流側端部は、第１上流側フィン部のうち冷媒流れ方向上流側端部に接続されており、当該積層型熱交換器は、第１上流側壁および第１下流側壁と熱交換チューブのうち冷媒流路を構成する内壁との間に形成される第１端部隙間を閉塞して第1端部隙間に冷媒が流れることを抑制する第１閉塞部を備える。
【０１４５】
したがって、フィン流路から第１端部隙間へ冷媒が流れることを抑制することができる。
【０１４６】
第６の観点によれば、複数の上流側フィン部のうち幅方向他方側に配置されている上流側フィン部は、熱交換チューブの内壁と上流側フィン流路との間を仕切る第２上流側壁を備え、複数の下流側フィン部のうち幅方向他方側に配置されている下流側フィン部は、熱交換チューブの内壁と下流側フィン流路との間を仕切る第２下流側壁を備え、第２下流側壁のうち冷媒流れ方向上流側端部は、第２上流側フィン部のうち冷媒流れ方向下流側端部に対して幅方向一方側にオフセットするように配置されており、第２下流側壁のうち冷媒流れ方向下流流側端部は、第２上流側フィン部のうち冷媒流れ方向上流側端部に接続されており、当該積層型熱交換器は、第２上流側壁および第２下流側壁と熱交換チューブを構成する冷媒流路を構成する内壁との間に形成される第２端部隙間を閉塞して第２端部隙間に冷媒が流れることを抑制する第２閉塞部を備える。
【０１４７】
したがって、フィン流路から第２端部隙間へ冷媒が流れることを抑制することができる。
【符号の説明】
【０１４８】
１    積層型熱交換器
２    電子部品（熱交換対象）
３    熱交換チューブ
３１、３２    外殻プレート
３３    中間プレート
３４    インナーフィン
３６    オフセット部
３１ａ〜３１ｈ    上流側フィン部
３２ａ〜３２ｈ    下流側フィン部
３１０ａ〜３１０ｈ    フィン流路
【図１】
2018074121.tif 000003
【図２】
2018074121.tif 000004
【図３】
2018074121.tif 000005
【図４】
2018074121.tif 000006
【図５】
2018074121.tif 000007
【図６Ａ】
2018074121.tif 000008
【図６Ｂ】
2018074121.tif 000009
【図７Ａ】
2018074121.tif 000010
【図７Ｂ】
2018074121.tif 000011
【図８Ａ】
2018074121.tif 000012
【図８Ｂ】
2018074121.tif 000013